(57)【要約】【課題】画像処理装置のデータ処理性能の改善を図ることができる技術を提供する。【解決手段】実施形態の画像形成装置は、原稿を読み取り、処理対象の画像データを作成する読取部と、読取部によって作成される画像データを取得し、画像データを、解像度を維持した所定形式のデータに変換して第１画像データを生成し、記憶部に記憶させる第１画像生成部と、第１画像データとは別に、読取部によって作成される画像データの解像度を下げた画像データである第２画像データを生成し、記憶部に記憶させる第２画像生成部と、第２画像生成部によって生成される第２画像データを記憶部から取得して表示する表示部と、第１画像生成部によって生成される第１画像データを記憶部から取得して出力処理を行う出力部と、を有する。【選択図】図６
2011254471.tif 000002
【特許請求の範囲】
【請求項１】
原稿を読み取り、処理対象の画像データを作成する読取部と、
前記読取部によって作成される画像データを取得し、該画像データを、解像度を維持しつつ所定形式のデータに変換して第１画像データを生成し、記憶部に記憶させる第１画像生成部と、
前記第１画像データとは別に、前記読取部によって作成される画像データの解像度を下げた画像データである第２画像データを生成し、記憶部に記憶させる第２画像生成部と、
前記第２画像生成部によって生成される第２画像データを前記記憶部から取得して表示する表示部と、
前記第１画像生成部によって生成される第１画像データを前記記憶部から取得して出力処理を行う出力部と、
を有する画像処理装置。
【請求項２】
請求項１に記載の画像処理装置において、
前記第２画像データから、所定の画像処理を行うときに必要なパラメータを抽出する情報抽出部と、
前記情報抽出部によって抽出されるパラメータを取得し、前記所定の画像処理を、前記第１画像生成部が生成した第１画像データに対して実行する画像処理実行部と、を有し、
前記出力部は、さらに、前記画像処理実行部によって処理された第１画像データを取得して出力処理を行う
ことを特徴とする画像処理装置。
【請求項３】
請求項１または２に記載の画像処理装置において、さらに、
前記読取部によって作成される画像データがモノクロかカラーかを判定する判定部を有し、
前記表示部は、前記判定部による判定結果に応じて、前記第２画像データをモノクロまたはカラーで表示し、
前記出力部は、前記判定部による判定結果に応じて、前記第１画像データをモノクロまたはカラーで出力処理を行う
ことを特徴とする画像処理装置。
【請求項４】
請求項３に記載の画像処理装置において、
前記判定部は、前記第２画像データを用いて、前記読取部によって作成される画像データがモノクロかカラーかを判定することを特徴とする画像処理装置。
【請求項５】
原稿を読み取り、処理対象の画像データを作成する読取部と、
前記読取部によって作成される画像データを取得し、該画像データを、解像度を維持しつつ所定形式のデータに変換して第１画像データを生成し、記憶部に記憶させる第１画像生成部と、
前記第１画像データとは別に、前記読取部によって作成される画像データの解像度を下げた画像データである第２画像データを生成し、記憶部に記憶させる第２画像生成部と、
前記第２画像データから所定の画像処理を行うときに必要なパラメータを抽出する情報抽出部と、
前記情報抽出部によって抽出されるパラメータを取得し、前記所定の画像処理を、前記第１画像生成部が生成した第１画像データに対して実行する画像処理実行部と、
前記画像処理実行部によって処理された第１画像データを取得して出力処理を行う出力部と、
を有する画像処理装置。
【請求項６】
画像処理装置が、
原稿を読み取り、処理対象の画像データを作成し、
作成される前記画像データを取得し、該画像データを、解像度を維持しつつ所定形式のデータに変換して第１画像データを生成し、記憶部に記憶させ、
前記第１画像データとは別に、読み取り作成される前記画像データの解像度を下げた画像データである第２画像データを生成し、記憶部に記憶させ、
生成される前記第２画像データを前記記憶部から取得して表示し、
生成される前記第１画像データを前記記憶部から取得して出力処理を行う
画像プレビュー方法。
【請求項７】
請求項６に記載の画像プレビュー方法において、
前記画像処理装置が、さらに、
前記第２画像データから、所定の画像処理を行うときに必要なパラメータを抽出し、
抽出される前記パラメータを取得し、該パラメータに基づき前記所定の画像処理を前記第１画像データに対して実行し、
前記画像処理が実行された前記第１画像データを取得して出力処理を行う
ことを特徴とする画像プレビュー方法。
【請求項８】
請求項６または７に記載の画像プレビュー方法において、
前記画像処理装置が、さらに、
前記読み取り作成される画像データがモノクロかカラーかを判定し、
前記判定の結果に応じて、前記第２画像データをモノクロまたはカラーで表示し、
前記判定の結果に応じて、前記第１画像データをモノクロまたはカラーで出力処理を行う
ことを特徴とする画像プレビュー方法。
【請求項９】
請求項８に記載の画像プレビュー方法において、
前記画像処理装置が、
前記第２画像データを用いて、前記読み取り作成される画像データがモノクロかカラーかを判定することを特徴とする画像プレビュー方法。
【請求項１０】
請求項６乃至９のいずれか１項に記載の画像プレビュー方法において、
前記第１画像データの生成処理と前記第２画像データの生成処理は、並列に実行されることを特徴とする画像プレビュー方法。
【発明の詳細な説明】
【技術分野】
【０００１】
この明細書に記載の実施形態は、画像処理装置の処理速度を改善する技術に関する。
【背景技術】
【０００２】
近年、画像処理装置であるＭＦＰ（Multifunction Peripheral）は、急速に高機能、高速化が図られており、モノクロＭＦＰからカラーＭＦＰへのＢｔｏＣが加速してきている。
【０００３】
ＭＦＰでは、装置内部にＢＯＸと呼ばれる文書保存用ＨＤＤ（Hard disk drive）を持ち、大型の液晶パネルを備え、スキャナから入力した各種画像データ、ドキュメントや外部機器から取得した各種画像データ、ドキュメントのプレビュー閲覧が可能なシステムが普及してきている。
【発明の概要】
【発明が解決しようとする課題】
【０００４】
従来のＭＦＰは、蓄積された画像データをプレビュー表示する場合に、ＨＤＤに蓄積された画像データを伸張してからデータ加工することで、サムネール画像やプレビュー画像を生成する。よって表示までの時間が遅くなったり、本体のパフォーマンスが低下したりする。
【０００５】
また、モノクロかカラーかをＭＦＰが自動で選択するオートカラーセレクトモード（以下、ＡＣＳと称す）、絵柄判定、下地濃度等の画像全面の情報を用いて判断する処理を行う場合、プリスキャン処理や追加ハードウェアが必要となり、パフォーマンス低下やコストアップの要因になるという問題がある。
【０００６】
実施形態は上述した問題点を解決するためになされたものであり、入力画像データを高速に表示し、また入力画像データに対して高速に画像処理する技術を提供することを目的とする。
【課題を解決するための手段】
【０００７】
画像処理装置は、原稿を読み取り、処理対象の画像データを作成する読取部と、読取部によって作成される画像データを取得し、画像データを、解像度を維持した所定形式のデータに変換して第１画像データを生成し、記憶部に記憶させる第１画像生成部と、第１画像データとは別に、読取部によって作成される画像データの解像度を下げた画像データである第２画像データを生成し、記憶部に記憶させる第２画像生成部と、第２画像生成部によって生成される第２画像データを記憶部から取得して表示する表示部と、第１画像生成部によって生成される第１画像データを記憶部から取得して出力処理を行う出力部と、を有する。
【図面の簡単な説明】
【０００８】
【図１】実施形態のシステムの構成例を示す図である。
【図２】実施形態の画像処理装置の構成例を示すブロック図である。
【図３】実施形態の画像処理装置の動作例を示すフローチャートである。
【図４】第１の処理経路で生成される画像データを表示する場合の処理例を説明する図である。
【図５】実施形態の表示処理の一例を説明する図である。
【図６】実施形態の機能ブロック図の一例を示す図である。
【発明を実施するための形態】
【０００９】
本実施形態の画像処理装置は、ＮＷスキャン（Network Scan）や印刷処理等を行うときの、外部機器やスキャン装置から入力された画像をプレビュー表示するために、入力した画像データを画像出力用の第１画像データと、プレビュー表示や内部画像処理を行うための解像度を落とした第２画像データを同時に持ち、プレビュー表示には第２画像データを使用し、ユーザに提供する画像出力（シートへの像形成）やファイル化は第１画像データを使用する。また、本実施形態の画像処理装置は、第１画像データの加工、処理を行う際、第２画像データの特徴量や第２画像データを用いた判定結果を利用する。
【００１０】
以下、図面を参照しつつ本実施形態の態様について説明する。図１は、本実施形態のシステムの構成の一例を示す図である。システム５００は、コピー機能、プリンタ機能、スキャナ機能、ＦＡＸやＥメールの送受信機能を有するＭＦＰである画像処理装置１００と、ＰＣ（Personal computer）２００とを有する。画像処理装置１００とＰＣ２００とはＬＡＮ（Local Area Network）３００により接続されており、互いに通信可能である。
【００１１】
画像処理装置１００は、装置内のハードウェア機器を統括制御し、また種々の画像処理を実行する制御ボード１１０を有する。制御ボード１１０は、装置内のハードウェア機器を制御し、またプログラムを実行する演算処理装置であるプロセッサ１４を有し、揮発性の記憶装置であるメインメモリ１５（図１ではメモリ１５と表記）を有する。また制御ボード１１０は、外部との通信を制御するＮＩＣ（Network Interface Card）１８、ＡＳＩＣ（Application Specific Integrated Circuit）３０、ファックス信号の送受信を制御するＦＡＸボード１３を有する。
【００１２】
画像処理装置１００は、ユーザからの指示を受付けるキーボード１２２、および取り込んだ画像データのプレビューや制御内容を表示するとともにユーザからの指示を受付けるタッチパネルディスプレイ１２１を含むコントロールパネル１２０を有する。また画像処理装置１００は、シート原稿およびブック原稿の画像をスキャンして読み取り、原稿の電子画像データを生成するスキャン部１を有し、制御ボード１１０で画像処理された後のデータをシートに形成するプリンタ部１２を有する。
【００１３】
ＰＣ２００のハードウェア構成は、現存のＰＣと同様であり、プロセッサ２０４を有し、またフラッシュＲＯＭ（Read Only Memory）や主記憶装置、ＨＤＤ等の二次記憶装置を含む構成であるメモリ２０５、ＮＩＣ２０６を有する。ＰＣ２００は、ユーザからの入力を受付けるキーボード２０２、マウス２０３、およびユーザに像を表示するモニター２０１を有する。ＮＩＣ１８とＮＩＣ２０６とがＬＡＮ３００を介して互いに通信の制御を行っている。
【００１４】
図２は画像処理装置１００の構成例を示すブロック図である。図２を参照して、画像処理装置１００の構成（主として印刷処理が行われるときの構成）について説明する。画像処理装置１００は、ＡＳＩＣ３０によって実装される画像処理部２０、印刷前処理部２１を有する。画像処理部２０は、第１画像処理部２、第２画像処理部３、第３画像処理部４、データ圧縮部５、解像度変換部６、ＡＣＳヒストグラム部７を有する。印刷前処理部２１は、データ伸張部１０、出力画像処理部１１を有する。
【００１５】
まず画像処理部２０内の各ユニットについて説明する。第１画像処理部２は、スキャナ部１が作成した画像データに対しＣＣＤライン間補正、ＭＴＦ補正等の共通の画像処理を行う。第２画像処理部３は、色変換処理、フィルタ処理、変倍処理等、印刷処理やＮＷスキャン等を行うための出力用の画像データを生成する。データ圧縮部５は、第２画像処理部３によって処理された画像データをＪＰＥＧ等の形式に圧縮する。以下、第１画像処理部２、第２画像処理部３、データ圧縮部５の処理経路を、必要に応じて第１の処理経路と称し、第１の処理経路で生成される画像データを、必要に応じて圧縮画像データと称する。
【００１６】
第３画像処理部４は、第２画像処理部３と同様に色変換処理、フィルタ処理等の画像処理を行うことでプレビュー表示用の画像データを生成する。解像度変換部６は、第３画像処理部４によって処理された後の画像データの解像度を変換した画像データを作成する。本実施形態では、元の画像データを６００ｄｐｉとし、解像度変換部６はこの元の画像データを１００ｄｐｉのプレビュー表示用の画像データに変換する。以下、第１画像処理部２、第３画像処理部４、解像度変換部６の処理経路を、必要に応じて第２の処理経路と称し、第２の処理経路で生成される画像データを、必要に応じて解像度変換データと称する。
【００１７】
ＡＣＳヒストグラム部７は、ＡＣＳモードが設定されているときに、スキャナ部１で作成される画像データがカラーであるかモノクロであるかを判定する。この判定結果は、プレビュー表示やシートへの像形成時に用いられる。
【００１８】
ページメモリ９は、データ圧縮部５、解像度変換部６から出力される圧縮画像データ、解像度変換データを一時的に格納する記憶装置である。
【００１９】
印刷前処理部２１の内部構成について説明する。データ伸張部１０は、ページメモリ９から圧縮画像データを取得して伸張する。出力画像処理部１１は、伸張された画像データを、例えば色変換、画像識別、スクリーン処理等、プリンタ部１２が出力するための画像処理を行う。出力画像処理部１１の処理については後にさらに例示する。
【００２０】
ＨＤＤ１６はデータを不揮発性に記憶する二次記憶装置である。画像処理装置１００は、これら以外にも図１で説明したＦＡＸボード１３、プロセッサ１３、メインメモリ１５、ＮＩＣ１８を用いて処理を行う。また図２で示す各ユニットは、システムバス１９によって互いに接続されており、互いにデータや信号の送受信が可能となる。
【００２１】
次に画像処理装置１００の動作について、図３を参照しつつ説明する。ここでは印刷処理が行われる場合について説明する。
【００２２】
スキャナ部１は、不図示の原稿配置トレイに配置される原稿を読み取ることで、印刷対象の画像データを作成する（ＡＣＴ１）。ここでは、６００ｄｐｉ、カラーＲＧＢ各８ｂｉｔの画像データが作成されるものとして説明する。スキャナ部１が作成した画像データに対して、第１画像処理部２は、ＣＣＤライン間補正、ＭＴＦ補正の画像処理（第１の画像処理）を行う（ＡＣＴ２）。
【００２３】
第１の処理経路として、第２画像処理部３は、第１画像処理部２から出力された画像データに対し、例えば色変換処理、フィルタ処理、変倍処理等、印刷用の画像を生成するための処理（第２の画像処理）を行い（ＡＣＴ３）、データ圧縮部５が圧縮処理を行い（ＡＣＴ４）、ページメモリ９に６００ｄｐｉの圧縮画像データが格納される（ＡＣＴ７）。
【００２４】
一方、第２の処理経路として、第１画像処理部２から出力された画像データに対し、第３画像処理部４は、色変換処理、フィルタ処理等を施してプレビュー表示用の画像を生成するための処理（第３の画像処理）を行い（ＡＣＴ５）、解像度変換６は、プレビュー表示に必要とされる解像度（例えば１００ｄｐｉ）に変換し（ＡＣＴ６）、この解像度変換データがページメモリ９に格納される（ＡＣＴ７）。よって第２の処理経路で生成される画像データは、解像度が元の画像データよりも落ちているが、第１の処理経路の様に圧縮処理は行われず生データでページメモリ９に格納される（例外として、ｂｉｔ数を落とす等のデータ加工は許容される）。尚、ＡＣＴ３、ＡＣＴ４、ＡＣＴ７の動作と、ＡＣＴ５、ＡＣＴ６、ＡＣＴ７の動作とは同時に並列で実行される。
【００２５】
第１の処理経路で生成される圧縮画像データで、仮に圧縮処理を行わない場合の生画像データの容量は、１インチ（２５．４ｍｍ）四方内に６００画素（すなわち６００ｄｐｉ）、３色（ＲＧＢ）、原稿サイズがＡ４サイズ（２１０ｍｍ×２９７ｍｍ）の画像データである場合、
６００／２５．４×６００／２５．４×２１０×２９７×３≒１０４ＭＢｙｔｅｓ
となる。一方、第２の処理経路で生成される解像度変換データの容量は、１００ｄｐｉに変換されているため、
１００／２５．４×１００／２５．４×２１０×２９７×３≒２．９ＭＢｙｔｅｓ
となり、１／３６の容量となる。
【００２６】
ページメモリ９に格納された２つの画像データはシステムバス１９とプロセッサ１４、メインメモリ１５によってＨＤＤ１６に格納される（ＡＣＴ８）。
【００２７】
ここまでが画像データの取得、生成処理である。引き続き印刷処理について説明する。
【００２８】
ＨＤＤ１６に格納された圧縮画像データは、プロセッサ１４からのプリント指示に従い、上記ＡＣＴ８と同様にシステムバス１９、プロセッサ１４、メインメモリ１５によりページメモリ９に格納される（ＡＣＴ９）。尚、圧縮画像データがページメモリ９にそのまま残されている場合、ＨＤＤ１６内のデータではなくページメモリ９内のデータに対して印刷処理が行われる。
【００２９】
プロセッサ１４は、ユーザからプレビュー表示の指示があるか否かの判定を行う（ＡＣＴ１０）。この判定は、例えばコントロールパネル１２０に表示される所定のプレビュー表示ボタンがユーザによって押下されるか否かの判定に基づく。プレビュー表示の指示が無い場合（ＡＣＴ１０、Ｎｏ）、データ伸張部１０は、ページメモリ９に格納された圧縮画像データがＲＧＢの生信号となるように伸張し（ＡＣＴ１２）、出力画像処理部１１は印刷処理に必要とされる画像処理（例えば色変換、画像識別、スクリーン処理等）を行う（ＡＣＴ１３）。出力画像処理部１１によって処理されたデータはプリンタ部１２に出力され、プリンタ部１２は、入力されたカラーまたはモノクロデータをシート上に画像形成する（ＡＣＴ１４）。
【００３０】
一方、プレビュー表示がユーザに指示されている場合（ＡＣＴ１０、Ｙｅｓ）、コントロールパネル１２０は、解像度変換部６によって生成される解像度変換データを用いてプレビュー表示を行う（ＡＣＴ１１）。
【００３１】
ＡＣＴ１１の動作について、図４、図５を参照しつつ説明する。図４は、プレビュー画像を、仮に第１の処理経路で生成される圧縮画像データを用いて行った場合の動作を示す図である。尚、図４で示す処理および図５で示す処理は、プロセッサ１４がＨＤＤ１６に予め導入されているプログラムをメインメモリ１５に展開して演算実行することで行われる。
【００３２】
ＨＤＤ１６に格納された圧縮画像データは、伸張処理が施されることで伸張され（ＡＣＴ２０）、伸張された画像データは、表示用の解像度に変換される（ＡＣＴ２１）。解像度が変換された画像データに対し、第４の画像処理が施される（ＡＣＴ２２）。第４の画像処理は、プレビュー表示しやすいようにＰＮＧ形式のフォーマットへ変換する処理や、モノクロモード又はＡＣＳヒストグラム判定部７でモノクロと判定された画像を表示する場合のモノクロ化処理等である。このように処理された画像データは、ＨＤＤ１６に再度格納されてコントロールパネル１２０に表示される。
【００３３】
図４で示すソフトウェア処理を行う場合、前述したようにデータ容量約１０４ＭＢの画像データに対して処理を行うため、処理が遅くなる。また本実施形態では、容量の大きな圧縮画像データを伸張処理するため、その分さらに時間を要することとなる。またプロセッサ１４の負荷も高くなり、大きくパフォーマンスを低下させる原因となる。
【００３４】
このパフォーマンス低下を抑えるため、本実施形態では、第２の処理経路で処理された少容量、圧縮されていない生画像データをプレビュー表示に利用する。このときの動作を図５に示す。図５は、ＨＤＤ１６に格納された解像度変換データを処理する場合のフローを示している。ＨＤＤ１６から解像度変換データ、すなわち非圧縮の画像データを取得し、解像度変換データの解像度を変換し（ＡＣＴ２１）、解像度を変換した画像データに上述同様の画像処理（第４の画像処理）を行う（ＡＣＴ２２）。尚、ＨＤＤ１６に格納された画像データの解像度のままプレビュー表示を行う場合、ＡＣＴ２１の処理は行われない。解像度変換データはデータ量が小さいため、ソフトウェアで処理したとしても大きなパフォーマンス低下とならない。
【００３５】
図５で示す処理が行われることで、コントロールパネル１２０上でプレビュー表示が行われる。コントロールパネル１２０上の所定の印刷開始ボタンがユーザによって押下される場合、処理は後続のＡＣＴ１２に進む。
【００３６】
上記説明では印刷処理について説明したが、スキャン画像データを外部機器（例えばＰＣ２００やＦＴＰ、メールサーバ等のコンピュータ）に転送するＮＷスキャン処理の場合、ＡＣＴ１２〜１４の処理が以下のようになる。すなわち、ＨＤＤ１６に格納された圧縮画像データは、例えば固定長ＪＰＥＧ形式から可変長ＪＰＥＧ形式への変換処理が行われ（この変換処理は印刷前処理部２１が行うものとする）、ＮＩＣ１８経由で外部に送信される。また、ＦＡＸ送信の場合も同様に、ＨＤＤ１６に格納されている圧縮画像データがＦＡＸ送信信号に変換され（この変換処理は印刷前処理部２１が行うものとする）、ＦＡＸボード１３、公衆回線を経由して指定ＦＡＸ番号の機器に送信される。
【００３７】
コントロールパネル１２０やプリンタ部１２は、ＡＣＳヒストグラム部７の判定結果に応じて、モノクロ画像かカラー画像かを表示、印刷出力する。この場合、ＡＣＳヒストグラム部７は、第１画像処理部２による処理が行われた後の画像データを取得し、当該画像データがモノクロ画像かカラー画像かの判定を行う。カラー画像と判定される場合、コントロールパネル１２０にはカラー画像が表示され、プリンタ部１２はカラー画像をシートに形成する。一方モノクロ画像と判定される場合、モノクロ画像がコントロールパネル１２０に表示され、モノクロ印刷がプリンタ部１２によって行われる。
【００３８】
また、ＡＣＳヒストグラム部７は、解像度変換データを用いてモノクロ画像かカラー画像かの判定を行ってもよい。この場合、ＡＣＴ７またはＡＣＴ８の後に、ページメモリ９またはＨＤＤ１６に格納された解像度変換データを取得する。ＡＣＳヒストグラム部７は、解像度変換データを用いて、スキャン部１が作成した画像データがモノクロ画像かカラー画像かの判定を行う。モノクロ画像と判定される場合、解像度変換データはモノクロ画像としてコントロールパネル１２０に表示され、圧縮画像データはモノクロ画像としてプリンタ部１２によって印刷される。カラーと判定される場合、それぞれカラー画像が表示、印刷される。
【００３９】
また、既存の画像処理技術を、第２の処理経路で生成される解像度変換データに対して行い、この処理結果を第１の処理経路で生成される圧縮画像データに適用することも可能である。具体的な処理内容について以下に例示する。
【００４０】
１．画像が写真または線画画像であるかを判定するための特徴量を、解像度変換データを用いて抽出し、その特徴量を用いて圧縮画像データに対して色変換、識別、墨入れ、スクリーン処理を実施する。
【００４１】
２．下地濃度がどれくらいであるかの特徴量を、解像度変換データを用いて抽出し、圧縮画像データに対して下地除去処理を行う。
【００４２】
３．偽造防止の観点で画像中に埋め込まれるコピー禁止用のパターン信号を、解像度変換データを用いて抽出し、禁止用のパターン信号が抽出された場合は圧縮画像データの印刷処理を禁止する。
【００４３】
上記１〜３の特徴量やパターン信号の抽出処理は、プロセッサ１４によるソフトウェア処理とするが、ＡＳＩＣ３０による実装であってもよい。解像度変換データによって抽出される特徴量やパターン信号は、プロセッサ１４とシステムバス１９を介して、後段の出力画像処理部１１の処理パラメータ、モードとして利用される。また特徴量は、そのままページメモリ９から圧縮画像データと共に後段の出力画像処理部１１に出力する構成であっても良い。
【００４４】
解像度変換データを用いることでデータ量が少なくなり、また伸張処理を行うこと無しにソフトウェアで処理することが可能となる。よって、アルゴリズム変更や処理フローに応じた使い方に変更できるため、そのメリットは大きい。
【００４５】
上述を踏まえた画像処理装置１００の機能ブロックの一例を図６に示す。画像処理装置１００は、読取部３０と、第１画像生成部３１と、第２画像生成部３２と、記憶部３３と、表示部３４と、出力部３５と、情報抽出部３６と、画像処理実行部３７とを有する。
【００４６】
読取部３０は、原稿を読み取り処理対象の画像データを作成する。読取部３０はスキャナ部１に相当する。
【００４７】
第１画像生成部３１は、読取部３０によって作成される画像データを取得し、該画像データを、解像度を維持しつつ所定形式のデータに変換して第１画像データ（圧縮画像データに相当）を生成して記憶部３３に記憶させる。第１画像生成部３１は、第１画像処理部２、第２画像処理部３、データ圧縮部５に相当する。ここでの所定形式として、上述の例ではＪＰＥＧ形式として説明したが、態様を限定するものではなく、ＪＰＥＧ形式以外にも、ＧＩＦ形式、ＢＭＰ形式、ＰＤＦ形式等、画像処理装置１００が画像として認識可能なデータフォーマットであればどのような形式でも構わない。
【００４８】
第２画像生成部３２は、第１画像データとは別に、読取部３０によって作成される画像データの解像度を下げた画像データである第２画像データ（解像度変換データ）を生成し、記憶部３３に記憶させる。第２画像生成部３２は、第１画像処理部２、第３画像処理部４、解像度変換部６に相当する。
【００４９】
記憶部３３は、第１画像データ、第２画像データを記憶するユニットであり、ページメモリ９、ＨＤＤ１６、メインメモリ１５に相当する。尚、記憶部３３は、画像処理装置１００の外部に設置された記憶装置でもよく、また、第１画像データと第２画像データの記憶先は同一の記憶装置である必要はない。
【００５０】
表示部３４は、第２画像生成部３２によって生成される第２画像データを記憶部３３から取得して表示する。表示部３４は、コントロールパネル１２０に相当し、コントロールパネル１２０はプロセッサ１４のプログラム実行によって制御される。
【００５１】
出力部３５は、第１画像生成部３１によって生成される第１画像データを記憶部３３から取得して出力処理を行う。出力部３５は、データ伸張部１０、出力画像処理部１１、プリンタ部１２、ＮＩＣ１８、ＦＡＸボード１３に相当する。ここでの出力処理は、シートへの印刷出力、外部機器へのデータ転送、ＦＡＸ送信を含む。
【００５２】
情報抽出部３６は、記憶部３３に記憶されている第２画像データから、所定の画像処理を行うときに必要なパラメータを抽出する。情報抽出部３６は、プロセッサ１４によるソフトウェア処理で実現される。ここでの所定の画像処理とは、例えば、画像が写真または線画画像であるかを判定する処理、下地除去処理、コピー禁止用のパターンが画像に埋め込まれているかの判定処理である。また画像が写真または線画画像であるかを判定する処理でのパラメータとは、例えばエッジ検出数である。下地除去処理でのパラメータとは、例えば画像中の下地領域と判定される画素の濃度値である。コピー禁止用のパターンが画像に埋め込まれているかの判定処理でのパラメータとは、例えば当該パターンの有無の判定結果である。
【００５３】
画像処理実行部３７は、情報抽出部３６で抽出される各パラメータを取得し、情報抽出部３６で説明した所定の画像処理を、第１画像生成部３１が生成した第１画像データに対して実行する。画像処理実行部３７は出力画像処理部１１に相当する。
【００５４】
以上に詳説したように、本実施形態では、画像処理装置のデータ処理性能の改善を図ることができる。
【００５５】
本発明は、その精神または主要な特徴から逸脱することなく、他の様々な形で実施することができる。そのため、前述の実施の形態はあらゆる点で単なる例示に過ぎず、限定的に解釈してはならない。本発明の範囲は、特許請求の範囲によって示すものであって、明細書本文には、なんら拘束されない。さらに、特許請求の範囲の均等範囲に属する全ての変形、様々な改良、代替および改質は、すべて本発明の範囲内のものである。
【符号の説明】
【００５６】
３０  読取部、３１  第１画像生成部、３２  第２画像生成部、３３  記憶部、３４  表示部、３５  出力部、３６  情報抽出部、３７  画像処理実行部、１００  画像処理装置。
【図１】
2011254471.tif 000003
【図２】
2011254471.tif 000004
【図３】
2011254471.tif 000005
【図４】
2011254471.tif 000006
【図５】
2011254471.tif 000007
【図６】
2011254471.tif 000008